(57)【要約】【課題】部品点数が少なく、液漏れを防止可能で、しかも無断開封防止機能を備えた液体吐出装置を提供する。【解決手段】  シリンダ１０内へ上方付勢状態で上下動自在に嵌合させた筒状ピストン２０上部内に液漏れ防止用の仕切板２６を一体に設け、該仕切板に破断線２７を周設して、該破断線より内方の仕切板部分から嵌合筒２８を垂下すると共に、前記シリンダ上端から上方へ突出する前記筒状ピストン部分上部へノズルヘッドを嵌合させ、前記シリンダ底壁１３に設けた吸込孔１４を開閉可能な吸込弁体４０の下部を前記シリンダ内へ下方付勢状態で上下動自在に嵌合させてシリンダ底壁へ当接させると共に、該吸込弁体上部を前記筒状ピストン２０内へ挿入して、該吸込弁体上端部を前記嵌合筒２８内へ嵌合させた。【選択図】  図１
2011011782.tif 000002
【特許請求の範囲】
【請求項１】
容器体口頸部２へ装着筒５０を介して保持されたシリンダ１０内へ上方付勢状態で上下動自在に嵌合させた筒状ピストン２０上部内に液漏れ防止用の仕切板２６を一体に設け、該仕切板に破断線２７を周設して、該破断線より内方の仕切板部分から嵌合筒２８を垂下すると共に、前記シリンダ上端から上方へ突出する前記筒状ピストン部分上部へノズルヘッドを嵌合させ、
前記シリンダ底壁１３に設けた吸込孔１４を開閉可能な吸込弁体４０の下部を前記シリンダ内へ下方付勢状態で上下動自在に嵌合させてシリンダ底壁へ当接させると共に、該吸込弁体上部を前記筒状ピストン２０内へ挿入して、該吸込弁体上端部を前記嵌合筒２８内へ嵌合させ、
初期使用開始時における前記ノズルヘッド６０の押下げで、前記筒状ピストン２０が下降して前記破断線２７が破断可能に設け、
吐出時における前記ノズルヘッド６０の押下げで、前記筒状ピストンが下降してシリンダ内液体が前記ノズルを介して吐出可能に設け、
吐出後の前記筒状ピストン上昇で、前記吸込弁体４０が上昇して開弁することで吸込孔１４を介して吸上げられた液が吸込弁体下部外面とシリンダ内面との間に設けられた流路４６を介してシリンダ内へ流入可能に設けた
ことを特徴とする液体吐出装置。
【請求項２】
前記筒状ピストン２０上部を内向きフランジを介して小内径部２３に形成すると共に、筒状ピストン下部を外向きフランジ２４を介して大内径部２５に形成して、該大内径部を前記シリンダ内周面へ上下動自在に嵌合させ、
前記仕切板２６を前記筒状ピストンの小内径部２３下端面に設けた
ことを特徴とする請求項１記載の液体吐出装置。
【請求項３】
前記ノズルヘッド６０は、前記筒状ピストンの小内径部２３外面へ嵌合させた有頂嵌合筒６１上端に外向きフランジ６２を付設して、該外向きフランジ周縁からカバー筒６５を垂下させると共に、前記有頂嵌合筒６１周面から前記カバー筒６５を貫設させてノズル６７を突設し、かつ該ノズルを前記筒状ピストン内へ連通させることで構成し、
前記装着筒５０は、前記容器体口頸部外面へ嵌合させた周壁上端から内向きフランジ５２を介して垂下筒５３を垂下させて、該垂下筒を前記筒状ピストン２０外面へ水密かつ上下動自在に嵌合させると共に、垂下筒５３下端を前記筒状ピストンの外向きフランジ２４へ当接させ、さらに前記内向きフランジ５２上面から無断開封防止用の破断線６６を介して破断筒６４を起立させて、該破断筒上端を前記カバー筒６５下端へ当接させて構成した
ことを特徴とする請求項２記載の液体吐出装置。
【請求項４】
前記ノズルを、前記筒状ピストンの小内径部２３に設けた吐出孔３０を介して筒状ピストン内へ連通させると共に、該吐出孔３０を開閉可能な吐出弁体６８を前記ノズル内の上部から揺動自在に垂下したことを特徴とする請求項２または３記載の液体吐出装置。
【発明の詳細な説明】
【技術分野】
【０００１】
本発明は容器体へ装着したポンプによって容器体内液体を吐出可能に設けた液体吐出装置に関する。
【背景技術】
【０００２】
シリンダ内から起立するステム上部へノズルヘッドを嵌合させ、ノズル基部に玉弁からなる吐出弁を設けると共に、シリンダ上部内面へ螺筒を嵌合させて、出荷による流通時にはノズルヘッドを押下げた状態でステムを螺筒へ螺合させる吐出装置が従来技術として知られている。
【先行技術文献】
【特許文献】
【０００３】
【特許文献１】特開平８−１９８３０３号公報
【発明の概要】
【発明が解決しようとする課題】
【０００４】
しかしながら、従来技術は吐出弁とノズルヘッドとが、また装着筒と螺筒とが、それぞれ別体であり、したがって部品点数が多く、しかも流通時はステムを螺筒へ螺合させるだけであるから、完全に液漏れを防止し得ないという課題がある。
本発明は、上記課題を解決するためになされたもので、部品点数が少なく、液漏れを防止可能で、しかも無断開封防止機能を備えた液体吐出装置を提供することを目的とする。
【課題を解決するための手段】
【０００５】
上記課題を解決するために、本発明は、容器体口頸部２へ装着筒５０を介して保持されたシリンダ１０内へ上方付勢状態で上下動自在に嵌合させた筒状ピストン２０上部内に液漏れ防止用の仕切板２６を一体に設け、該仕切板に破断線２７を周設して、該破断線より内方の仕切板部分から嵌合筒２８を垂下すると共に、前記シリンダ上端から上方へ突出する前記筒状ピストン部分上部へノズルヘッドを嵌合させ、
前記シリンダ底壁１３に設けた吸込孔１４を開閉可能な吸込弁体４０の下部を前記シリンダ内へ下方付勢状態で上下動自在に嵌合させてシリンダ底壁へ当接させると共に、該吸込弁体上部を前記筒状ピストン２０内へ挿入して、該吸込弁体上端部を前記嵌合筒２８内へ嵌合させ、
初期使用開始時における前記ノズルヘッド６０の押下げで、前記筒状ピストン２０が下降して前記破断線２７が破断可能に設け、
吐出時における前記ノズルヘッド６０の押下げで、前記筒状ピストンが下降してシリンダ内液体が前記ノズルを介して吐出可能に設け、
吐出後の前記筒状ピストン上昇で、前記吸込弁体４０が上昇して開弁することで吸込孔１４を介して吸上げられた液が吸込弁体下部外面とシリンダ内面との間に設けられた流路４６を介してシリンダ内へ流入可能に設けた
ことを特徴とすることを特徴する。
【０００６】
また、本発明は、前記筒状ピストン２０上部を内向きフランジを介して小内径部２３に形成すると共に、筒状ピストン下部を外向きフランジ２４を介して大内径部２５に形成して、該大内径部を前記シリンダ内周面へ上下動自在に嵌合させ、
前記仕切板２６を前記筒状ピストンの小内径部２３下端面に設けた
ことを特徴とする。
【０００７】
さらに、本発明は、前記ノズルヘッド６０は、前記筒状ピストンの小内径部２３外面へ嵌合させた有頂嵌合筒６１上端に外向きフランジ６２を付設して、該外向きフランジ周縁からカバー筒６５を垂下させると共に、前記有頂嵌合筒６１周面から前記カバー筒６５を貫設させてノズル６７を突設し、かつ該ノズルを前記筒状ピストン内へ連通させることで構成し、
前記装着筒５０は、前記容器体口頸部外面へ嵌合させた周壁上端から内向きフランジ５２を介して垂下筒５３を垂下させて、該垂下筒を前記筒状ピストン２０外面へ水密かつ上下動自在に嵌合させると共に、垂下筒５３下端を前記筒状ピストンの外向きフランジ２４へ当接させ、さらに前記内向きフランジ５２上面から無断開封防止用の破断線６６を介して破断筒６４を起立させて、該破断筒上端を前記カバー筒６５下端へ当接させて構成した
ことを特徴とする。
【０００８】
さらに、本発明は、前記ノズルを、前記筒状ピストンの小内径部２３に設けた吐出孔３０を介して筒状ピストン内へ連通させると共に、該吐出孔３０を開閉可能な吐出弁体６８を前記ノズル内の上部から揺動自在に垂下したことを特徴とする。
【発明の効果】
【０００９】
本発明は、筒状ピストン上部内に液漏れ防止用の仕切板を一体に設け、該仕切板に破断線を周設し、該破断線より内方の仕切板部分から嵌合筒を垂下して、吸込弁体上端部を嵌合筒内へ嵌合させたので、仕切板によって筒状ピストン下部内は密封されることになり、したがって、流通時にシリンダ内および筒状ピストン内の液が漏出することがない。
【００１０】
また、本発明は、装着筒の周壁上端から内向きフランジを介して垂下筒を垂下させて、該垂下筒を筒状ピストン外面へ水密かつ上下動自在に嵌合させると共に、垂下筒下端を筒状ピストンの外向きフランジへ当接させたので、従来技術のように筒状ピストン抜止め用の部材を装着筒とは別体に設ける必要がなく、したがって、部品点数の削減が図れる。
【００１１】
さらに、本発明は、吐出弁体をノズル上面から揺動自在に垂下したので、玉弁を別体に設ける従来技術に比べて部品点数を少なくすることができる。
【図面の簡単な説明】
【００１２】
【図１】本発明に係る液体吐出装置の流通時における状態を示す縦断面図である。
【図２】図１のノズルヘッド部分の上面図である。
【図３】筒状ピストンの小内径部の一部を示す斜視図である。
【図４】破断筒の斜視図である。
【図５】ノズルヘッド押下げで、仕切板を破断させた状態を示す縦断面図である。
【発明を実施するための形態】
【００１３】
以下、本発明の実施の形態について、図面を参照しながら詳細に説明する。
【００１４】
図１において、１は容器体で、肩部を介して口頸部２を起立する。
【００１５】
１０はシリンダで、周壁１１上端に付設した外向きフランジ１２を容器体口頸部２上端へパッキンを介して載置させて、周壁１１を容器体１内へ垂下させると共に、底壁１３中央部に吸込孔１４を形成して、吸込孔下面の周縁から吸上げパイプ１５を垂下すると共に、吸込孔上面周縁に弁座１６を周設させ、さらに周壁１１上部を上方大径のテーパ筒部を介して大内径部に形成させている。上記では吸上げパイプ１５は周壁１１と一体に成形されているが、これに限らず吸込孔周縁から短筒を垂下して、この短筒に別体の吸上げパイプを嵌合させてもよい。
【００１６】
２０は筒状ピストンで、筒体２１の上部を内向きフランジ２２を介して小内径部２３に形成させると共に、筒体２１下端に外向きフランジ２４を介して筒状のピストン部２５を付設して、このピストン部をシリンダ周壁１１内面へ上下動自在に嵌合させ、さらに小内径部２３下端面に液漏れ防止用の仕切板２６を一体に設け、該仕切板の中央部に薄肉からなる破断線２７を周設して、該破断線より内方の仕切板部分から嵌合筒２８を垂下する。
【００１７】
また小内径部２３の後部外面下部に位置合わせ用の係合突条２９を縦設し、さらに小内径部２３上部の前部外面の丸み部を切除して平面部３０ａに形成し、かつ該平面部３０ａに筒状ピストン内へ連通する吐出孔３０を形成させると共に、平面部３０ａより下方の小内径部２３部分外面に抜止め用の突条３１を周設して、該突条を後述の有頂嵌合筒６１内面に周設した図示しない周溝へ嵌合させている。
【００１８】
４０は吸込弁体で、シリンダ周壁１１の底部内面へ上下動自在に嵌合させて下端を底壁１３へ当接させた大径筒部４１上端から内向きフランジを介して弁棒４２を起立して、該弁棒上端部を上向き段部を介して小外径部４３に形成し、該小外径部を筒状ピストン２０内へ挿入して、嵌合筒２８内へ抜出し不能に嵌合させ、さらに大径筒部４１内部に、その内部を上下に仕切る隔壁４４を付設して弁座１６へ着座させると共に、弁座１６より外方の隔壁４４部分に流入孔４５を形成し、さらに大径筒部４１外面に縦溝からなる流路４６を複数形成する。
【００１９】
５０は装着筒で、周壁５１を容器体口頸部外面へ螺合させると共に、周壁５１上端から内向きフランジ５２を介して垂下筒５３を筒状ピストン２０の筒体２１外面へ水密かつ上下動自在に嵌合させ、かつ垂下筒５３下端を外向きフランジ２４へ当接させている。
【００２０】
また、内向きフランジ５２の径方向中間部を上方へ膨出させて環状の保持筒５４に形成して、該保持筒をシリンダ１０の外向きフランジ１２より上方の周壁１１部分へ抜出し不能に嵌合させると共に、保持筒上面から無断開封防止用の薄肉からなる破断線６６を介して破断筒６４を起立させて、該破断筒６４上端を後述のカバー筒６５下端へ当接させ、かつ該破断筒６４の前部を切除して指掛け用の開口部６４ａに形成させている。
【００２１】
６０はノズルヘッドで、筒状ピストン２０の小内径部２３外面へ嵌合させた有頂嵌合筒６１上端に外向きフランジ６２を付設して、該外向きフランジ周縁からカバー筒６５を垂下させている。
【００２２】
また、有頂嵌合筒６１の後部内面下部に係合溝６７を縦設して、該係合溝を位置合わせ用の係合突条２９へ嵌合させると共に、有頂嵌合筒６１前部からカバー筒６５を貫設させてノズル６７を突設させ、該ノズルを小内径部２３前部の吐出孔３０を介して筒状ピストン２０内へ連通させると共に、吐出孔３０を開閉可能な円板状の吐出弁体６８をノズル内上部から薄肉片６９を介して前後方向へ揺動自在に垂下させて、筒状ピストン２０の小内径部２３の平面部３０ａ前面へ位置させている。
【００２３】
７０はコイルバネで、吸込弁体４０の弁棒４２を囲むように形成されていて、その上端を筒状ピストン２０の内向きフランジ２２下面へ、またその下端を大径筒部４１上面へ、それぞれ当接させている。
【００２４】
次に作用について説明する。図１は流通時の状態を示すもので、仕切板は筒状ピストン２０の下部内を液漏れがないように密封しており、また筒状ピストン２０下端部はシリンダ周壁１１のテーパ筒部より下方の小内径部の上端部へ摺接している。
【００２５】
使用可能な状態にするには、まず破断筒６４の開口部６４ａの左右両側へ指を掛けて左右へ引っ張ることで破断線６６を破断させて、破断筒６４をカバー筒６５と装着筒５０とから切離した後、ノズルヘッド６０を押下げればよく、すると図５に示すように筒状ピストン２０が下降して、仕切板２６の破断線２７が破断する。
【００２６】
吐出させるには、ノズルヘッド６０を介して筒状ピストン２０を下降させればよく、これによってシリンダ１０内と筒状ピストン２０内の液が吐出孔３０から流出し、吐出弁体６８を前方へ揺動させてノズル６７から吐出する。
【００２７】
吐出後、筒状ピストン２０が上昇すると、吸込弁体４０が上昇して弁座１６から離間するため、容器体内液が流路４６を介してシリンダ１０内へ吸込まれる。
【産業上の利用可能性】
【００２８】
本発明は、ポンプを備えた液体吐出容器の分野に利用することができる。
【符号の説明】
【００２９】
１  容器体
２  口頸部
１０  シリンダ
１１  周壁
２２  内向きフランジ
２３  小内径部
２６  仕切板
２７  破断線
２８  嵌合筒
２９  位置合わせ用の係合突条
３０  吐出孔
４０  吸込弁体
４３小外径部
４６  流路６
５０  装着筒
５３  垂下筒
５４  保持筒
６０  ノズルヘッド
６１  有頂嵌合筒
６４  破断筒
６５  カバー筒
６６  破断線
６７  係合溝
６８  吐出弁体
７０  コイルバネ
【図１】
2011011782.tif 000003
【図２】
2011011782.tif 000004
【図３】
2011011782.tif 000005
【図４】
2011011782.tif 000006
【図５】
2011011782.tif 000007
【手続補正書】
【提出日】平成21年7月9日(2009.7.9)
【手続補正１】
【補正対象書類名】図面
【補正対象項目名】図１
【補正方法】変更
【補正の内容】
【図１】
2011011782.tif 000008